(57)【要約】　　　（修正有）【課題】水のない場所でも水洗いしたり除菌することが可能で、異種の洗浄液による洗浄が可能なので、汚れを確実に除去できる。【解決手段】貯液容器３１内を仕切板３３によって画成したＡ室３１Ａと、Ｂ室３１Ｂに連通して貯液容器３１の天面部３２Ｃには、蓋体によって施蓋可能な開口部３６、３９が設けてあり、開口部３６、３９には閉塞体３８が嵌挿してある。側部３２ＢにはＡ室３１ＡとＢ室３１Ｂの各々に連通し、蓋体によって施蓋可能な操作用開口部が夫々設けてある。そして、Ａ室３１ＡとＢ室３１Ｂに挿装した状態で、各操作用開口部には洗浄用手袋４５、４５が挿脱可能に螺着してあり、各洗浄用手袋４５の表面４５Ａは織布等を貼着して粗面にしてある。【選択図】　図６
0003098698.tif 000002
【実用新案登録請求の範囲】
【請求項１】
上部に上開口部を有し、内部に液体を収容することができ、かつ外部から内部が目視可能な有底の袋体と、該袋体の下開口部に液密に設けられて袋体内に挿装され、外側から手を挿入して前記内部で洗浄作業を行うための洗浄用手袋とから構成してなる洗浄用具。
【請求項２】
前記袋体は軟質材により収納可能に成形してあることを特徴とする請求項１記載の洗浄用具。
【請求項３】
前記上開口部は、閉塞手段により開閉可能にしてあることを特徴とする請求項１記載の洗浄用具。
【請求項４】
前記洗浄用手袋は、前記袋体より軟質の素材により成形してあることを特徴とする請求項１記載の洗浄用具。
【請求項５】
内部を２室に画成した貯液容器と、前記各室に連通して該貯液容器の上部に夫々設けられ、蓋体によって施蓋可能な一対の上開口部と、前記各室に連通して前記貯液容器の側方に設けられ、蓋体によって施蓋可能な下開口部と、該下開口部に液密に設けられて前記各室内に挿装され、外側から手を挿入して前記各室で洗浄作業を行うための洗浄用手袋とから構成してなる洗浄用具。
【請求項６】
前記上開口部には、洗浄対象物が挿脱可能で、かつ洗浄時の洗浄水が外部に飛散するのを防止する閉塞体を設けてあることを特徴とする請求項１又は５記載の洗浄用具。
【請求項７】
前記洗浄用手袋は、表面を粗面にしてあることを特徴とする請求項１又は５記載の洗浄用具。
【請求項８】
前記洗浄用手袋は、前記下開口部に着脱可能に設けてあることを特徴とする請求項１又は５記載の洗浄用具。
【考案の詳細な説明】
【０００１】
【考案の属する技術分野】
本考案は、屋外を走り廻った飼い犬の足や、汚れた機械部品等の洗浄対象物を洗浄する場合に手を汚したり、手荒れすることがなく、しかも汚れを確実に除去することができる洗浄用具に関する。
【０００２】
【従来の技術】
屋外で遊んだり散歩した飼い犬の足裏は泥が付着して汚れるため、室内や車内に入れる際には足裏の汚れを除いてきれいにする必要がある。このため、飼い主は自宅に入れる場合は濡れタオルで拭いたり、汚れがひどい場合にはバケツに水を汲み置いて水で洗う方法も行っている。また、自動車により郊外に出た場合は、持参した濡れタオルやウエットティッシュ等で汚れを拭き取ったり、水飲み場等の公共の水栓を利用して水洗いするといった方法が行われている。
【０００３】
【考案が解決しようとする課題】
しかし、上述した濡れタオルやウエットティッシュを使用する従来の方法では、手間が掛る割りには汚れを十分に落とすことが不可能であるし、細菌等を除去することも不可能である。このため、車内や飼い主達の衣服が泥で汚れてしまうのが現状である。また、公共の水栓を利用した場合は、犬を抱えて戻らなければならないので面倒であるし、大型犬の場合には不可能である。このため、洗浄用のバケツを持参すればよいのであるが、面倒なのか或は手が荒れるのが嫌なためか、飼い犬の足の洗浄のためにバケツを持参する人は殆どいないのも現状である。
【０００４】
本考案は、上述した従来技術の諸欠点に鑑みなされたもので、飼い犬や機械部品等の洗浄対象物を水のない野外等でも水洗いすることができるし、拭き取りでは除去できない汚れや細菌も確実に除去することができると共に、携帯可能であるから使用上の利便性に優れている洗浄用具を提供すること、また、同種の２液で洗浄できるので１液で洗浄する場合には付着が避けられない微細な塵埃も除去することができる、また異種の２液で洗浄することができるので油汚れの洗浄が可能である洗浄用具を提供することを目的とする。
【０００５】
【課題を解決するための手段】
上述した課題を解決するために構成された請求項１に係る本考案の手段は、上部に上開口部を有し、内部に液体を収容することができ、かつ外部から内部が目視可能な有底の袋体と、該袋体の下開口部に液密に設けられて袋体内に挿装され、外側から手を挿入して前記内部で洗浄作業を行うための洗浄用手袋とからなる。
【０００６】
そして、前記袋体は軟質材により収納可能に成形したものにするとよい。
【０００７】
また、前記上開口部は、閉塞手段により開閉可能にするとよい。
【０００８】
更に、前記洗浄用手袋は前記袋体より軟質の素材によって成形するとよい。
【０００９】
また、請求項５に係る本考案の手段は、内部を２室に画成した貯液容器と、前記各室に連通して該貯液容器の上部に夫々設けられ、蓋体によって施蓋可能な一対の上開口部と、前記各室に連通して前記貯液容器の側方に設けられ、蓋体によって施蓋可能な下開口部と、該下開口部に液密に設けられて前記各室内に挿装され、外側から手を挿入して前記各室で洗浄作業を行うための洗浄用手袋とからなる。
【００１０】
そして、前記上開口部には、洗浄対象物が挿脱可能で、かつ洗浄時に洗浄水が外部に飛散するのを防止する閉塞体を設けるとよい。
【００１１】
また、前記洗浄用手袋は、表面を粗面にするとよい。このように構成することにより、洗浄対象物の汚れを確実に取ることができる。
【００１２】
更に、前記洗浄用手袋は、前記下開口部に着脱可能に設けるとよい。このように構成することにより、汚れた洗浄用手袋を袋体や貯液容器から取り出して洗うことや、傷んだ洗浄用手袋を交換することができる。
【００１３】
【考案の実施の形態】
以下、本考案の実施の形態を図面に基づき詳述する。図１は第１の実施の形態を示す。図において、１は袋体で、該袋体１は内部１Ａに水等の洗浄液を収容することができる耐水性を有し、収納可能なように軟質で、かつ内部１Ａを外側から目視できる透明の合成樹脂材、例えばポリプロピレン、塩化ビニル樹脂等により成形してある。そして、袋体１は上端に上開口部１Ｂ、底部に下開口部１Ｃが形成してあり、上開口部１Ｂは袋体１に設けた面状ファスナー２によって開閉可能になっている。
【００１４】
３は前記袋体１の下開口部１Ｃから内部１Ａに挿装し、開口縁を液密に接着した洗浄用手袋で、該洗浄用手袋３は親指を挿入する親指部３Ａと、他の４本の指を挿入する棒状指部３Ｂとからなり、指を動かし易いように袋体１よりも薄く成形するか、例えばポリエチレン、塩化ビニル樹脂等の軟質の合成樹脂材により成形してある。そして、洗浄用手袋３は表面３Ｃに織布、スポンジ等を貼着することにより粗面にしてあり、内面には作業中の手の滑りを防止するための滑り止め加工が施してある。
【００１５】
本実施の形態に係る洗浄用具は上述の構成からなっており、例えば屋外で犬の足を洗う場合は、持参して来た水や現地の公共の水栓の水を袋体１に入れる。この際、除菌剤を添加してもよい。次に、上開口部１Ｂから飼い犬の片方の足を内部１Ａに入れた状態にして左手（右手）で足と袋体１を保持する。そして、洗浄用手袋３に外側から右手（左手）を差し込み、目視しながら洗浄用手袋３で足を洗う。洗浄用手袋３は表面３Ｃを粗面にしてあるから、犬の足等を洗う場合に汚れを確実に除去することができる。
【００１６】
このように、足の洗浄は袋体１の内部１Ａで水や水に除菌剤を添加した洗浄液により行うから、足に付着して拭き取りだけでは除去できない汚れや細菌も確実に取り除くことができるし、目視しながら作業を行うことができるから洗浄作業を能率よく行うことができる。また、洗浄後は、排水溝等の所定の場所に水を捨てることにより袋体１は小さく収納することができるので、携帯性にも優れている。
【００１７】
なお、本実施の形態において、上開口部１Ｂに臨んで袋体１に外周に雄ねじ部を形成した筒状開口部を設け、該筒状開口部に蓋体を螺着する構成にしてもよい。
【００１８】
また、袋体１は上端側にゴムバンドを設けて、巾着の口ように絞ることにより閉塞するように構成してもよい。このように構成することにより、袋体１の内部１Ａに入れた犬の足に開口部が密着するので、洗浄液が外部に飛散するのを防止できる。
【００１９】
更に、本実施の形態では洗浄用手袋３は袋体１の底部１Ｃに設けたが、必ずしも底部１Ｃに限定されるものではなく、袋体１の下側の位置であればよい。
【００２０】
次に、図２乃至図４は第２の実施の形態を示す。図において、１１は上下両端側が開口した袋体で、該袋体１１は第１の実施の形態に係る袋体１と同様に内部１１Ａに水等の液体を収容することができる耐水性を有し、透明の軟質合成樹脂材により成形してある。
【００２１】
１２は前記上側の開口に臨んで袋体１１に固着した円筒状の上開口部で、該上開口部１２は外周に雄ねじ部１２Ａを成形した合成樹脂材からなっている。１３は該上開口部１２に螺合することにより開閉可能に施蓋する合成樹脂製の上蓋体で、該上蓋体１３は紛失しないようにストラップ１４によって袋体１１に係着してある。
【００２２】
１５は上開口部１２に嵌脱可能に嵌合した液漏れ防止のための閉塞体を示す。該閉塞体１５は図３に示すように、上端に係止用鍔１６Ａを有し、上開口部１２に嵌着する硬質の合成樹脂材からなるリング部１６と、該リング部１６内を閉塞するように取着され、中心から放射状に切込み１７Ａ、１７Ａ、・・・を形成したゴムや合成樹脂材等からなる弾性閉塞部１７とから構成してある。このように、弾性閉塞部１７に放射状に複数の切込み１７Ａ、１７Ａ、・・・を形成したから、飼い犬の足を挿脱し易く、しかも洗浄液が外部に飛散するのを確実に防止することができる。
【００２３】
他方、１８は前記下側の開口に臨んで袋体１１に固着した円筒状の下開口部となる操作用開口部で、該操作用開口部１８は外周に雄ねじ部１８Ａを、内周に雌ねじ部１８Ｂを夫々一体に成形した合成樹脂材からなっている。１９は該操作用開口部１８に螺合することにより開閉可能に施蓋する合成樹脂製の下蓋体で、該下蓋体１９は紛失しないようにストラップ２０によって袋体１１に係着してある。
【００２４】
２１は袋体１１の内部１１Ａに挿脱可能に挿装した洗浄用手袋を示す。該洗浄用手袋２１は硬質の合成樹脂材からなり、操作用開口部１８に液密に螺合する雄ねじ部２２Ａが外周に形成してある環状口部２２と、該環状口部２２に基端側２３Ａが取着され、中間から先端側が二又状に分岐して一対の棒状指部２３Ｂ、２３Ｂになった左右対称の手袋本体２３とから構成してあり、手袋本体２３は指を動かし易いように軟質の合成樹脂材によって成形してある。このように手袋本体２３は右手と左手のいずれにも着用できるタイプに形成してあり、表面２１Ａの略全面を織布やスポンジ等の素材を貼着することにより粗面にしてある。また、内面には作業中の手の滑りを防止するための滑り止め加工が施してある。
【００２５】
本実施の形態は上述の構成からなっており、携帯時には袋体１１内から水等の洗浄液を抜いて空の状態にし、上開口部１２及び操作用開口部１８を上蓋体１３、下蓋体１９で夫々施蓋した状態にすることにより、携帯に便利なように小さく窄めた状態にすることができる。他方、使用時には上開口部１２から上蓋体１３を外し、袋体１１内に適量の洗浄液を充填する。しかる後、操作用開口部１８から下蓋体１９を外して洗浄用手袋２１に手を差し込み、上開口部１２から飼い犬の足を入れて袋体１１内で洗浄用手袋２１で擦りながら洗浄を行う。そして、上開口部１２には閉塞体１５を設けてあるから、洗浄作業中に洗浄中に洗浄液が外部に飛散するのを防止することができる。
【００２６】
本実施の形態によれば、袋体１１は小さく窄めてコンパクトにすることができるから携帯に便利である、また、洗浄用手袋２１は袋体１１から取り外すことができるから、汚れた場合には取り出して洗浄、乾燥することができるので清潔であるし、傷んだ場合には新しいのと交換することができる。袋体１１は上、下の開口部１２、１８を開放することにより、内部１１Ａを洗浄して乾燥させることができるので清潔に保つことができる。
【００２７】
更に、洗浄用手袋２１は左、右対称に形成してあるから、左利きの人でも使用することができるし、使用中に一側面が汚れた場合は他側面を使用するといった使い方ができる。
【００２８】
図５乃至図８は第２の実施の形態を示す。図において、３１は貯液容器、３２は該貯液容器３１を構成し、透明の合成樹脂材により成形した容器本体で、該容器本体３２は略四角形の底部３２Ａと、該底部３２Ａの外縁から起立した４面の側壁部３２Ｂ、３２Ｂ、・・と、天面部３２Ｃとから略立方体に形成してある。そして、該容器本体３２内に縦に設けた透明の合成樹脂材からなる仕切板３３によって貯液容器３１はＡ室３１ＡとＢ室３１Ｂの２室に画成してある。また、容器本体３２の一の側壁部３２Ｂには布や洗剤等を入れるためのポケット３４が設けてあり、天面部３２Ｃの中央には取っ手３５が突設してある。
【００２９】
３６は貯液容器３１の天面部３２Ｃに突設した円筒状の一側上開口部を示し、該一側上開口部３６はＡ室３１Ａに臨んで天面部３２Ｃに形成した開口に連通している。そして、一側上開口部３６は外周に雄ねじ部３６Ａが形成してあり、蓋体３７を螺合することによって施蓋可能になっている。
【００３０】
３８は前記一側上開口部３６に挿脱可能に挿嵌した閉塞体で、該閉塞体３８は環状の嵌合部３８Ａと、飼い犬の足を挿脱し易いように軟質ゴムにより下端側が窄まった截頭円錐状の形態に形成し、上端側を該嵌合部３８Ａに取着した絞り部３８Ｂとから構成してある。そして、閉塞体３８は、Ａ室３１Ａで洗浄作業を行う際にＡ室３１Ａの洗浄水が外部に飛散するのを防止する。
【００３１】
また、３９は貯液容器３１の天面部３２Ｃに突設した円筒状の他側上開口部を示し、該他側上開口部３９はＢ室３１Ｂに臨んで天面部３２Ｃに形成した開口に連通している。そして、該他側上開口部３９は外周に雄ねじ部３９Ａが形成してあり、蓋体４０によって施蓋可能になっている。また、他側上開口部３９にも閉塞体３８が挿脱可能に挿嵌してある。
【００３２】
４１は貯液容器３１の側壁部３２Ｂに突設した円筒状の下開口部となる一側操作用開口部を示し、該一側操作用開口部４１はＡ室３１Ａに臨んで容器本体の側部３２Ｂに形成した開口に連通している。一側操作用開口部４１は外周に雄ねじ部４１Ａ、内周に雌ねじ部４１Ｂを夫々形成した合成樹脂製の円筒からなっており、外周の雄ねじ部４１Ａに螺合する蓋体４２によって施蓋可能になっている。
【００３３】
また、４３は貯液容器３１の側部３２Ｂに突設した円筒状の他側操作用開口部を示し、該他側操作用開口部４３はＢ室３１Ｂに臨んで側壁部３２Ｂに形成した開口に連通している。そして、他側操作用開口部４３は外周と内周に雄ねじ部４３Ａ、４３Ｂを夫々形成した合成樹脂製の円筒からなっており、外周の雄ねじ部４３Ａに螺合する蓋体４４によって施蓋可能になっている。
【００３４】
４５、４５はＡ室３１Ａ及びＢ室３１Ｂに夫々挿装した一対の洗浄用手袋を示す。該各洗浄用手袋４５は硬質の合成樹脂材からなり、外周に雄ねじ部４６Ａが形成してある環状口部４６と、該環状口部４６に基端側４７Ａが取着され、先端側が親指を挿入する親指部４７Ａ及び他の４本の指を挿入する棒状指部４７Ｂになった手袋本体４７とから構成してあり、手袋本体４７は指を動かし易いように軟質の合成樹脂材によって成形してあると共に、手袋本体４７の表面４７Ａは織布やスポンジ等の素材を貼着することにより粗面にしてある。そして、上述の構成からなる洗浄用手袋４５、４５は環状口部４６を一側操作用開口部４１及び他側操作用開口部４３の雌ねじ部４１Ｂ、４３Ｂに夫々液密に螺合することにより、Ａ室３１Ａ、Ｂ室３１Ｂに挿脱可能に挿装してある。
【００３５】
本実施の形態による洗浄用具は上述の構成からなっており、犬の足等の洗浄対象物を洗浄する作業は第１及び第２の実施の形態と異なるところはない。しかし、貯液容器３１内をＡ室３１ＡとＢ室３１Ｂの２室に画成してあるから、例えばＡ室３１Ａでは汚れを落す本洗いを行い、Ｂ室３１Ｂでは濯ぎを行うといった使い方ができる。また、例えば、油圧シリンダのピストンのように作動油等の油で汚れた機械部品を洗浄する場合には、Ａ室３１Ａにシンナーを充填し、Ｂ室３１Ｂに浄水を充填することにより油汚れを確実に洗浄することができる。また、機械部品は微細な塵埃も除去する必要があるが、一回の洗浄だけでは洗浄液中に浮遊する塵埃が付着してしまうが、異なる清浄な液で濯ぎを行うことにより塵埃を除去することができる。
【００３６】
また、貯液容器３１のＡ室３１Ａ及びＢ室３１Ｂは蓋体３７、４０によって施蓋可能にしてあるから、Ａ室３１ＡとＢ室３１Ｂに液体を充填した状態で運搬することができる。
【００３７】
更に、洗浄用手袋４５、４５は貯液容器３１に挿脱可能に設けてあるから、汚れたり、傷んだ洗浄用手袋４５は交換することができるし、運搬時には洗浄用手袋４５、４５を取り外して洗浄用開口部４１、４３を蓋体４２、４４で施蓋することができる。
【００３８】
【考案の効果】
本考案は以上詳述した如く構成したから、下記の諸効果を奏する。
（１）洗浄対象物を野外等でも洗浄液で洗浄することができるので、濡れタオルやウエットティッシュの拭き取りで作業では除去不可能な汚れも確実に除去することができる。また、洗浄液に除菌剤を添加することにより、細菌を除去することもでき、極めて清潔にできる。
（２）洗浄用具は外側から内部を目視できるから、洗浄作業を無駄なく効率的に行うことができるし、強固に付着している汚れも目視しながら除去作業を行なうことができる。
（３）洗浄対象物は洗浄液の中で洗浄用手袋により洗浄するから、洗浄対象物の汚れを確実に除去することができるし、洗浄液等による手荒れを解消することができる。
（４）洗浄用手袋は表面を粗面にしてあるから、落し難い汚れを確実に除去することができる。
（５）洗浄用手袋は交換可能であるから、汚れたり、傷んだ場合には洗浄したり、新しいものと交換することができる。
（６）請求項１に係る考案によれば、袋体は軟質材により収納可能に成形したから、携帯可能であり使用上の利便性に優れている。
（７）上開口部に洗浄対象物を挿脱でき、かつ洗浄時の液漏れを防止する閉塞体を設けたから、洗浄時に飼い犬や洗浄する者が液濡れすることがないし、袋体や貯液容器及び周囲を濡らすことがない。
（８）請求項５に係る考案によれば、２液で洗浄することができるので１液で洗浄する場合には除去できない汚れも除去することができるし、１液では付着が避けられない微細な塵埃も２液で除去することができる。
（９）請求項５に係る考案によれば、上開口部は蓋体により施蓋可能にしてあるから、貯液容器に洗浄液を充填した状態で運搬することができる。
【図面の簡単な説明】
【図１】本考案の第１の実施の形態に係る洗浄用具の一部を破断にして内部を示す全体構成図である。
【図２】図２乃至図４は第２の実施の形態に係り、図２は洗浄用具の非使用時の全体構成図である。
【図３】閉塞体の外観斜視図である。
【図４】使用時の洗浄用具の縦断面図である。
【図５】図５乃至図８は第３の実施の形態に係り、図５は洗浄用具の外観斜視図である。
【図６】一部を破断にして洗浄用具の内部構成を示す後部側斜視図である。
【図７】閉塞体の半断面図である。
【図８】洗浄用手袋の正面図である。
【符号の説明】
１、１１　　　袋体
１Ａ、１１Ａ　内部
１Ｂ、１２　　上開口部
３、２１　　　洗浄用手袋
３Ｃ、２１Ａ　表面
１５、３８　　閉塞体
３１　　　　　貯液容器
３１Ａ　　　　Ａ室
３１Ｂ　　　　Ｂ室
３２　　　　　容器本体
３６　　　　　一側上開口部
３７、４０　　蓋体
３９　　　　　他側上開口部
４１　　　　　一側操作用開口部
４３　　　　　他側操作用開口部
４５　　　　　洗浄用手袋
４５Ａ　　　　表面
【図１】
0003098698.tif 000003
【図２】
0003098698.tif 000004
【図３】
0003098698.tif 000005
【図４】
0003098698.tif 000006
【図５】
0003098698.tif 000007
【図６】
0003098698.tif 000008
【図７】
0003098698.tif 000009
【図８】
0003098698.tif 000010